(57)【要約】      （修正有）【課題】締め付け用腰紐にて腰に下衣のウエスト部を締め付ける際に、装着者のウエスト部のサイズに合わせて締め付け感や肌触り感を調整し、その際に形成する結び目により生じる外観を装着者の好みの結び目位置に合わせて調整することが可能な、下衣のウエスト部紐通し機構を提供する。【解決手段】下衣は、「本体部」としての身頃部１０と、身頃部１０に取り付けられ、装着車の腰を締め付けて、下衣が腰からずり落ちないための「締め付け部」としてのウエスト部機構２０を備える。ウエスト部機構は、紐通し部２１により規定され、紐通し孔２２と、紐通し孔２２を通り紐通し機構２１内を介在する締め付け用腰紐６０と、締め付け用紐６０を紐通し機構２１から貫通させ、体表面で結び目を形成させる「貫通」用の貫通項２３と、貫通孔外観上の美観を損なわないための「覆い」としてのベルト通し用生地２４とからなる。【選択図】図１
0003146747.tif 000002
【実用新案登録請求の範囲】
【請求項１】
下衣本体部と、
前記下衣本体部に設けられた腰紐を通す紐通し機構及び締め付け用の腰紐から構成され、
前記紐通し機構は、前記下衣本体部のウエスト側部に配置されると共に、
装着者の体の肌面側に、装着者の正面から側面に沿って、装着者の正面に近い箇所に、
装着者の正面から見て左右対称に、１箇所づつ締め付け用の腰紐を通過させる孔を有し、
前記紐通し機構に、前記肌面側に設けた１箇所づつの締め付け用の腰紐を通過させる孔よりも、装着者の体の正面に近い箇所に、肌面側と外面側を貫通させる貫通孔を、左右対称に1箇所づつ設けたことを特徴とする下衣のウエスト部紐通し機構。
【請求項２】
前記紐通し機構に設けた、装着者の正面から見て左右対称で１箇所づつの貫通孔は、ベルト通し用生地で覆われており、装着者の外面側からは見えない構造とした、請求項１に記載の下衣のウエスト部紐通し機構。
【考案の詳細な説明】
【技術分野】
【０００１】
本考案は、締め付け用の腰紐にて腰に下衣のウエスト部を締め付ける際に、装着者のウエスト部のサイズに合わせて締め付け感や肌触り感を調整し、その際に形成する結び目により生じる外観を、装着者の好みの結び目位置に合わせて調整することが可能な、ウエスト部紐通し機構に関するものである。
【背景技術】
【０００２】
従来より、スラックスやジャージー等の下衣において、下衣のウエスト部分に紐通し機構を設けて、締め付け用の腰紐を通し、ウエスト部に締め付けるように、両端を結ぶ手法をとることによって、ずれ落ちを防ぐと同時に良好な着用感を得るための締め付け具合を調整していた。
又上記ウエスト部機構の一部に、締め付け用紐を通すために、装着者の体の正面側、体の幅方向中心に近い部分に紐通し用の左右一対の孔を設けて、背中から装着者の体の前面部分に沿って紐を介在させていた。
【０００３】
さらには上記ウエスト部機構に、紐通し用孔以外に孔を設けることによって、ウエスト部機構の内部にある紐に触れる事を可能とすることの利便性が検討されてきた。
下記特許文献１には、従来閉塞されていたポケット型通路の両出口間を適当な間隔で表面の布を取り払った部分を設けることによって、通路を通る調整紐が露になる部分ができ、直に調整紐に触って取り扱えるようになり片寄ってしまった調整紐の修正が容易となるような調整紐通しについて開示されている。
【０００４】
又、特許文献２には、裾の紐通し部に挿通された絞り紐を左右の脇線下方内側に設けた紐孔より表出させ、絞り紐の両端部を裾の前端部内側の紐孔より表出し、ストッパーに挿通させ、また、紐孔より表出している絞り紐にループ紐の端部より表出している絞り紐に、ループ紐の端部に把持部を形成した引き手を取り付けて、前記引き手を下方に引く事により、上衣の裾絞り紐を迅速に開放する事が出来る裾絞り機能付き上衣についての開示がある。
【特許文献１】特開２００７-２６２６４７
【特許文献２】登録実用新案３０８０３６８
【考案の開示】
【考案が解決しようとする課題】
【０００５】
しかしながら、特許文献１では、ポケット型通路を通る調整紐が露になる部分はあるが、調整紐端部同志で設ける結び目がポケット型通路の内側にのみ位置することになり、装着者の好みで結び目をポケット型通路の外面側に位置させる事は出来ず、ウエスト部における、装着者の意図する結び目に対する外観上の美観を必ずしも実現できるものではない。
【０００６】
又、特許文献２では、上衣裾部の紐通し部に紐孔を設け、上衣の裾絞り紐を迅速に開放できる機能はあるが、こちらも紐の結び目に関しての、ウエスト部の構造についての開示ではなく、又、装着者にとっての結び目の美観等には関係の無いものである。
【０００７】
本考案は、上記のような問題に鑑みてなされたものであり、本考案の目的は、装着者のウエスト部のサイズに合わせて締め付け感や肌触り感を調整し、その際に形成する結び目により生じる外観を、装着者の好みの結び目位置に合わせて調整することが可能とした、下衣のウエスト部紐通し機構を提供することである。
【課題を解決するための手段】
【０００８】
前記の課題を解決するために、本考案に係る下衣のウエスト部機構は、下衣本体部と、下衣本体部に設けられた腰紐を通す紐通し機構及び締め付け用の腰紐から構成され、紐通し機構は、下衣本体部のウエスト側部に配置されると共に、装着者の体の肌面側に装着者の正面から側面に沿って、装着者の正面に近い箇所に装着者の正面から見て左右対称に１箇所づつ締め付け用腰紐を通過させる孔を設け、締め付け用腰紐を通過させる孔よりも、装着者の体の正面に近い箇所に肌面側と外面側を貫通させる貫通孔を左右対称に1箇所づつ設け、締め付け用腰紐を通過させる左右1箇所づつ設けた孔のどちらかから締め付け用腰紐を通し、もう一方の孔から紐を出して、紐の両端が装着者の体前面に位置した時に紐の先端を左右１箇所づつの貫通孔を通じることにより、外面部にも締め付け用腰紐の端部を配置する事を可能としたことを特徴とする紐通し機構である。
【０００９】
また、上記紐通し機構に設けた、左右対称の１箇所づつの貫通孔は、ベルト通し用生地で覆われており、装着者の体外面からは見えない構造としている。
【考案の効果】
【００１０】
本考案によれば、ウエスト部紐通し機構の、紐通し孔よりも体の正面方向に、体の肌面側から外面側へ締め付け用の腰紐を通ずるための、左右一対の貫通孔を設けることで、紐の先端を貫通孔に通す又は通さないかを選択することにより、装着者のウエスト部のサイズに合わせて締め付け感や肌触り感を調整し、その際に形成する結び目により生じる外観を、装着者の好みの結び目位置に合わせて調整することが可能とした、下衣のウエスト部機構を提供できる。
【考案を実施するための最良の形態】
【００１１】
以下に、本考案の実施の形態について説明する。なお、同一または相当する部分に同一の参照符号を付し、その説明を繰り返さない場合がある。
【００１２】
なお、以下に説明する実施の形態において、個数、量などに言及する場合、特に記載がある場合を除き、本考案の範囲は必ずしもその個数、量などに限定されない。また、以下の実施の形態において、各々の構成要素は、特に記載がある場合を除き、本考案にとって必ずとも必須のものではない。また、以下に複数の実施の形態を適宜組み合わせることは、当初から予定されている。
【００１３】
図１は、本考案の１つの実施の形態に係る下衣を示す図である。図２（Ａ）は、図１におけるａ−ａ線断面図、図２（Ｂ）は図１におけるｂ−ｂ線断面図、図２（Ｃ）は、図１におけるｃ−ｃ線断面図である。
【００１４】
図１、図２（Ａ）、（Ｂ）を参照して、本実施の形態に係る下衣は、身頃部１０と、ウエスト部機構２０と、ボタン３０と、ボタン孔４０とを含んで構成される。
【００１５】
ウエスト部機構２０は、紐通し機構２１と締め付け用腰紐６０により規定される。紐通し機構２１と、締め付け用腰紐６０と、ボタン３０と、ボタン孔４０と、ボタン孔正面部材５０とが、ウエスト部を形成する。紐通し機構２１は、締め付け用腰紐６０を通すための所定の空間を設けるためにループを形成した構造となっている。ウエスト部正面部材５０は、ウエスト部の両端部を構成する部材である。図１の例では、係止具としてボタン３０とボタン孔４０とを用い、ウエスト部正面部材５０の一方にボタン３０を取りつけ、ウエスト部正面部材５０の他方にボタン孔４０を設けている。尚、係止具としては、周知のものを使用可能である。
【００１６】
紐通し機構２１は、帯状の部材をその長さ方向に沿って２つ折りすることで形成され、その折り目部分が上端部に位置するように設けられる。その他、帯状の部材を重ねて上端部を縫製することによって設けることも可能である。又、身頃部１０の延長部として紐通し部の高さ分を身頃部１０の内部へ折り返して機構２１を形成してもよい。その他紐通し機構２１としては、周知のものを使用可能である。
【００１７】
また、紐通し機構２１には、図１、図２（Ｂ）に示すように紐通し孔２２が、ボタン３０をボタン孔４０に止めた状態とするときに、紐通し機構の体の側面に、体の正面から見て腰の側面よりも正面側に左右対称に一対設けられている。
【００１８】
さらに、紐通し機構２１には、図１、図２（Ｃ）に示すように貫通孔２３が、紐通し孔２２よりも体の正面側に、体の肌面から体の外面へ貫く様に左右対称に一対設けられている。
【００１９】
さらには、紐通し機構２１には、図１、図２（Ｃ）に示すように、貫通孔２３を覆うように又、ベルトが通る空間を確保するようにベルト通し用生地２４を、左右対称に一対本体生地と紐通し機構表面に縫着する形態で設けられている。
【００２０】
最後に、紐通し機構２１には、図１、図２（Ａ）、図２（Ｂ）、図２（Ｃ）に示すように、左右一対の紐通し孔２２の一方を通じて、紐通し機構のループ部分を経由し、紐通し孔２２のもう一方から抜出するように締め付け用腰紐６０が介在し、紐通し機構２１の体の側面を経由し、図２（Ｃ）に示すように、貫通孔２３を通じて、紐通し機構２１の体外面に抜出できる構成としている。
【００２１】
図２（Ａ）、図２（Ｂ）、図２（Ｃ）に示すように、ウエスト部機構２０は、紐通し部２１の他に、紐通し孔２２と、貫通孔２３と、ベルト通し用生地２４と、縫製部２５Ａ、２５Ｂ、２５Ｃとを含む。身頃部１０と、紐通し機構２１と、ベルト通し用生地２４は、縫製部２５Ａ、２５Ｂ、２５Ｃによって逢着されている。
【００２２】
図１の例では、紐通し機構２１の周長は７８ｃｍであり、幅は５．５ｃｍである。
【００２３】
締め付け用腰紐６０としては、たとえば、たとえば編物や織物を採用可能である。織物の場合は織組織は平織や綾織などあるがどのようなものでもよい。紐の断面形状も平板状や丸状、その他どのような形状でも構わない。また、編物、織物のいずれも、ポリエステル、ナイロン、アクリル等の合成繊維、綿、レーヨン、麻等のセルロース系繊維、ウール、シルク等の動物性繊維を糸単体、またはそれら２，３種の組合せで構成してもよい。さらに、それらの単体、２，３種の組合せが主体となって、ポリウレタン糸、ストレッチポリエステル糸、ゴム糸等の伸縮性の高い糸を一部に交編、交織して構成してストレッチ性を高めてもよい。
ベルト通し用生地２４としては、たとえば編物や織物を採用可能である。構造や素材も周知のもので特に問わない。図１の例では、ポリエステル１００％でかつ、経緯両方向に伸縮性を有する丸編み構造で構成されている。
【００２４】
又、図１の例ではベルト通し用生地２４の縦方向（体長方向）の縫着された状態の高さとしては、６ｃｍであり、幅は２ｃｍであり、貫通孔２３を隠す一対のベルト通し用生地の他にも、腰の位置に左右一対、後ろ身頃に投影させた位置に左右一対設け、貫通孔２３を外観上隠す以外にも、ベルト通し用の機能を付与している。
【００２５】
紐通し孔２２としては、ボタン３０またはボタン孔４０の位置から、紐通し機構の体の内面に１０ｃｍの箇所に左右一対設け、縦方向の高さは２ｃｍ、幅は適宜調整可能である。
【００２６】
貫通孔２３としては、紐通し機構に、ボタン３０またはボタン孔４０の位置から５ｃｍの箇所に左右一対、すなわちボタン３０又はボタン孔４０の位置から紐通し孔との中間の位置に設けており、縦方向の高さは２ｃｍ、幅は適宜調整可能である。
【００２７】
典型的な例では、ベルト通し用生地２４は、ウエスト部機構にいくつ設けられても良いし、締め付け用の腰紐６０が体の前面に出せる程度であれば、ウエスト部の略全周にわたって連続的に形成されても良い。
【００２８】
紐通し孔２２と貫通孔２３は、その位置関係がウエスト部の周方向で逆転しなければ、他のウエスト部機構の構成が機能する程度であれば、位置が変更されても良い。
【００２９】
身頃部１０は、たとえば編物や織物を採用可能である。構造や素材も周知のもので特に問わず、上記ベルト通し用生地２４と同じ素材により構成されていることが一般的である。図１の例では、ポリエステル１００％でかつ、経緯両方向に伸縮性を有する丸編み構造で構成されている。
【００３０】
次に、図３（Ａ）、図３（Ｂ）、図４（Ａ）、図４（Ｂ）を用いて、上述したウエスト部機構による効果について説明する。なお、図３（Ａ）の（ａ）、（ｂ）、図３（Ｂ）の（ａ）、（ｂ）は、比較例に係るウエスト部機構を示し、図４（Ａ）の（ａ）、（ｂ）、図４（Ｂ）の（ａ）、（ｂ）は、本実施の形態に係るウエスト部機構を示すものである。
【００３１】
図３（Ａ）の（ａ）、（ｂ）の比較例に係るウエスト部機構は、身頃部１０と紐通し機構２１１Ａと締め付け用腰紐６０により規定されるウエスト構造２０１Ａとを有している。紐通し機構２１１Ａは、外面側に紐通し孔２２１Ａを有している。
【００３２】
図３（Ａ）の（ａ）に示すように、従来では、締め付け用腰紐６０を紐通し孔２２１Ａを通じて紐通し機構２１１Ａ内に介在させ、締め付け用腰紐６０の両端６０１、６０２を、前身頃表面で装着者の好みの締め付け具合で、締め付けることにより、図３（Ａ）の（ｂ）に示す、締め付け用腰紐の結び目６１Ａを紐通し機構２１１Ａの外面側に表出させる締め付け方としていた。
【００３３】
又、図３（Ｂ）の（ａ）に示すように、従来では、締め付け用腰紐６０を紐通し孔２２２Ａを通じて紐通し機構２１２Ａ内に介在させ、締め付け用腰紐６０の両端６０１、６０２を、前身頃表面で装着者の好みの締め付け具合で、締め付けることにより、図３（Ｂ）の（ｂ）に示す、締め付け用腰紐の結び目６１Ｂを紐通し機構２１２Ａの肌面側に隠れるような締め付け方としていた。
【００３４】
この結果、結び目６１Ａ、６１Ｂは、紐通し機構２１１Ａ、２１２Ｂにより拘束されてしまい、外面側に表出させる結び目６１Ａ、肌面側に隠す結び目６１Ｂを選択する事が不可能であった。
【００３５】
これに対し、本実施の形態に係るウエスト部機構では、図４（Ａ）の（ａ）、（ｂ）に示すように、締め付け用腰紐６０を貫通孔２３を通じて、紐通し機構２１の外面側に貫通させ、締め付け用腰紐６０の両端６０１、６０２を前身頃表面で締め付けることにより、結び目６２Ａを体表面に表出させる事も可能であるし、図４（Ｂ）の（ａ）、（ｂ）に示すように、締め付け用腰紐６０を貫通孔２３を通じないで、紐通し機構２１の肌面側にて、締め付け用腰紐６０の両端６０１、６０２を締め付けることにより、結び目６２Ｂを隠す事も可能となる。
【００３６】
このように、本実施の形態に係るウエスト構造によれば、締め付け用腰紐６０の結び目を図４（Ａ）の（ｂ）に示す６２Ａの様に紐通し機構２１の外面側に表出させる事も、図４（Ｂ）の（ｂ）に示す６２Ｂの様に、肌面側に隠す事もどちらも可能となり、装着者の好みに応じて外観上の美観を結び目の有無という点において選択できる。
【００３７】
また、貫通孔２３から出ている締め付け用腰紐６０の一部又は、貫通孔２３そのものが見えてしまうという、外観上美観を損なう点を改善するために、ベルト通し用生地２４を設けて、さらなる美観の向上を実現している。
【００３８】
次に、図５、図６、を用いて、本実施の形態に係る下衣の変形例について説明する。なお、図５、図６は、本実施の形態に係る下衣の変形例を示す図であり、図１におけるａ−ａ断面に相当するものである。
【００３９】
図５、図６に示す変形例は、折り返された紐通し機構２１の間に、締め付け用紐６０と同時に、ゴム部２６を設けたことを特徴とする。図５に示すように、締め付け用紐６０をゴム部２６よりも外側に配置しても良いし、図６に示すように、締め付け用紐６０をゴム部２６より内側に配置しても良い。
【００４０】
ただし、ゴム部２６が貫通孔２３まで及ぶと締め付け用紐が、紐通し機構２１を貫通できない構成となるので、この場合は、貫通孔２３に及ばないように、紐通し機構２１の背中側にゴムを介在させる構造とする。又、左右両脇部に部分的にゴムを配置させたり、その他断続的に配置させることも可能である。
【００４１】
ゴム部２６は、平板状の織ゴムのような弾性部材で構成することができる。
【００４２】
ゴム部２６はウエスト部機構２１を補強する「補強部材」としても機能し、典型的には紐通し機構２１の上端部近傍から下端部近傍に達するようにして設けられる。ゴム部２６の上下方向の幅は、紐通し機構２１の上下方向の幅に対して、５０％〜１００％程度（より好ましくは、８５％〜１００％程度）であることが好ましい。このゴム部２６を設けることにより、紐通し機構２１が上下方向に容易に折れ曲がる事（縦折れ）を抑制する事が出来る。
【００４３】
上述した内容について要約すると、以下のようになる。すなわち、本実施の形態に係る下衣１は、「本体部」としての身頃部１０と、身頃部１０に取り付けられ、装着車の腰を締め付けて、下衣が腰からずり落ちないための「締め付け部」としてのウエスト部機構２０を備える。
【００４４】
ウエスト部機構は、紐通し部２１により規定され、紐通し孔２２と、紐通し孔２２を通り紐通し機構２１内に介在する締め付け用腰紐６０と、締め付け用紐６０を紐通し機構２１から貫通させ、体の表面で結び目６２Ａを形成させる「貫通」用の貫通孔２３と、貫通孔部分の外観上の美観を損なわないための「覆い」としてのベルト通し用生地２４とを含む。
【００４５】
なお、上記の例では、主にジャージーやパンツなどの下衣のウエスト部機構について説明したが、本考案の思想を適用する対象の一例として、スラックス、スカート、ズボン、ウィンドブレーカー、レインスーツ、スエットスーツ、ウォームアップスーツなどにも、当然に適用可能である。
【００４６】
又、上記の例では前開きの下衣について説明しているが、通常のジャージーやスエットスーツなどの前開きが無いものに関しても当然に適用可能である。
【００４７】
さらには本考案の適用対象は、下衣１のウエスト部機構２０に限定されるものではなく、たとえば、図７に示す上衣２における裾部７００、袖口８００および襟部９００に同様の思想を適用することも、当然に可能である。また、上記の思想は、下衣の足裾部にも、当然に適用可能である。
【００４８】
以上、本考案の実施の形態に付いて説明したが、今回開示された実施の形態は全ての点で例示であって、制限的なものではないと考えられるべきである。本考案の範囲は実用新案登録請求の範囲によって示され、実用新案登録請求の範囲と均等の意味及び範囲内でのすべての変更が含まれる事が意図される。
【図面の簡単な説明】
【００４９】
【図１】本考案の１つの実施の形態に係る下衣を示す説明図。
【図２】図１におけるａ−ａ線、ｂ−ｂ線、ｃ−ｃ線断面図。
【図３】ウエスト部機構の説明図。
【図４】ウエスト部機構の説明図。
【図５】本考案の１つの実施の形態に係る下衣の１つの変形例を示す図である。
【図６】本考案の１つの実施の形態に係る下衣の他の変形例を示す図である。
【図７】本考案の１つの実施の形態に係る上衣を示す図である。
【符号の説明】
【００５０】
１  下衣
２  上衣
１０  身頃部
２０  ウエスト部機構
２１  紐通し機構
２２  紐通し孔、
２３  貫通孔
２４  ベルト通し用生地
２５Ａ  身頃部１０と紐通し機構２１の縫製部
２５Ｂ  紐通し機構２１とベルト通し用生地２４の縫製部
２５Ｃ  身頃部１０とベルト通し用生地２４の縫製部
２６  ゴム部
３０  ボタン
４０  ボタン孔
５０  ウエスト部正面部材
６０  締め付け用腰紐
６１Ａ  従来例における１例による結び目
６１Ｂ  従来例におけるもう１つの例による結び目
６２Ａ  本考案の１つの実施の形態による結び目
６２Ｂ  本考案のもう１つの実施の形態による結び目
２０１Ａ  従来例におけるウエスト部機構の一例
２０２Ａ  従来例におけるもう一つのウエスト部機構の一例
２１１Ａ  従来例における紐通し機構の一例
２１１Ｂ  従来例におけるもう一つの紐通し機構の一例
６０１  締め付け用腰紐の両端部
６０２  締め付け用腰紐の両端部
７００  ウエスト開口部
８００  袖口
９００  襟部
【図１】
0003146747.tif 000003
【図２】
0003146747.tif 000004
【図３】
0003146747.tif 000005
【図４】
0003146747.tif 000006
【図５】
0003146747.tif 000007
【図６】
0003146747.tif 000008
【図７】
0003146747.tif 000009